(57)【要約】【課題】  ファクシミリデータの管理を容易にする。【解決手段】  ファクシミリ装置１００は、ファクシミリデータの通信日時を含む通信管理情報を記憶する通信管理情報記憶部１１６と、通信管理情報を印刷する印刷処理部１０４と、印刷処理部１０４による印刷履歴を通信管理情報に対応付けて記憶する印刷履歴記憶部１０６と、通信管理情報の印刷指示を受け付ける指示受付部１０２と、を含む。印刷処理部１０４は、指示受付部１０２が印刷指示を受け付けると、印刷履歴記憶部１０６を参照して、未印刷の通信管理情報を印刷する。【選択図】        図１
2006173798.tif 000002
【特許請求の範囲】
【請求項１】
ファクシミリデータの通信日時を含む通信管理情報を記憶する通信管理情報記憶部と、
前記通信管理情報を印刷する印刷処理部と、
前記印刷処理部による印刷履歴を前記通信管理情報に対応付けて記憶する印刷履歴記憶部と、
前記通信管理情報の印刷指示を受け付ける指示受付部と、
を含み、
前記印刷処理部は、前記指示受付部が前記印刷指示を受け付けると、前記印刷履歴記憶部を参照して、未印刷の前記通信管理情報を印刷することを特徴とするファクシミリ装置。
【請求項２】
請求項１に記載のファクシミリ装置において、
前記印刷処理部は、前記通信管理情報記憶部に記憶された前記通信管理情報が所定数以上となると、その時点で未印刷の前記通信管理情報を印刷することを特徴とするファクシミリ装置。
【請求項３】
請求項１または２に記載のファクシミリ装置において、
前記指示受付部は、前記通信管理情報の印刷指示とともに、当該印刷指示に基づく通信管理情報の印刷履歴を残すか否かに関する情報を取得し、
前記印刷処理部は、前記指示受付部が取得した前記情報に基づき、当該印刷指示に基づく通信管理情報の印刷履歴を残す場合に、印刷した前記通信管理情報が印刷済みであることを前記印刷履歴記憶部に記憶することを特徴とするファクシミリ装置。
【請求項４】
請求項１乃至３いずれかに記載のファクシミリ装置において、
前記印刷処理部は、印刷した前記通信管理情報を、当該通信管理情報を印刷した時間に対応付けて、前記印刷履歴記憶部に記憶することを特徴とするファクシミリ装置。
【請求項５】
請求項１乃至４いずれかに記載のファクシミリ装置において、
前記指示受付部は、前記通信管理情報の印刷指示を、印刷する対象の前記通信管理情報の前記通信日時の指定とともに受け付け、
前記印刷処理部は、前記指示受付部が前記印刷指示を受け付けると、前記通信管理情報記憶部を参照して、前記指示受付部が受け付けた対象であって、未印刷の前記通信管理情報を印刷することを特徴とするファクシミリ装置。
【請求項６】
ファクシミリデータの通信日時を含む通信管理情報を記憶する通信管理情報記憶部と、
前記通信管理情報の印刷指示を、印刷する対象の前記通信管理情報の前記通信日時の指定とともに受け付ける指示受付部と、
前記指示受付部が前記印刷指示を受け付けると、前記通信管理情報記憶部を参照して、前記指示受付部が受け付けた対象の前記通信管理情報を印刷する印刷処理部と、
を含むことを特徴とするファクシミリ装置。
【発明の詳細な説明】
【技術分野】
【０００１】
この発明は、ファクシミリ装置に関し、とくにファクシミリデータの通信管理情報を印刷出力するファクシミリ装置に関する。
【背景技術】
【０００２】
従来、他の装置とのファクシミリデータの送受信履歴を記憶する通信履歴情報の記録手段を備えたファクシミリ装置が知られている。このような通信履歴情報を活用することにより、ユーザがファクシミリ装置の通信管理を行うことができる。
【特許文献１】特開平１０−３２２５３５号公報
【発明の開示】
【発明が解決しようとする課題】
【０００３】
ところで、従来、通信履歴情報の記録手段には、所定数の通信履歴が記録されるようになっており、ユーザが任意のタイミングで通信履歴の印刷指示を行うと、その時点で記録手段に記録されている通信履歴情報すべてが印刷されていた。そのため、たとえば毎日の通信履歴情報を印刷して日報として管理したいような場合に、その日の通信数が少ないと、前日分の通信履歴までが印刷されてしまうということがあった。また、同様に、その日の通信数が多いと、通信履歴を印刷する前に、通信履歴が所定数に達して、印刷していないにもかかわらず、古い通信履歴が消去されてしまうということがあった。
【０００４】
本発明はこうした点に鑑みてなされたもので、その目的は、ファクシミリデータの通信管理を容易にする技術の提供にある。
【課題を解決するための手段】
【０００５】
本発明によれば、ファクシミリデータの通信日時を含む通信管理情報を記憶する通信管理情報記憶部と、前記通信管理情報を印刷する印刷処理部と、前記印刷処理部による印刷履歴を前記通信管理情報に対応付けて記憶する印刷履歴記憶部と、前記通信管理情報の印刷指示を受け付ける指示受付部と、を含み、前記印刷処理部は、前記指示受付部が前記印刷指示を受け付けると、前記印刷履歴記憶部を参照して、未印刷の前記通信管理情報を印刷することを特徴とするファクシミリ装置が提供される。
【０００６】
ここで、通信管理情報記憶部と印刷履歴記憶部とは、物理的に一つの記憶部により構成することもでき、また別の記憶部により構成することもできる。
【０００７】
本発明のファクシミリ装置によれば、ユーザが任意のタイミングで印刷指示を行った場合に、既に印刷済の通信管理情報が印刷されないようにすることができる。これにより、不要な印刷物が印刷されるのを防ぐことができる。また、たとえば通信管理情報を日報として管理するような場合に、同じ通信管理情報が重複して印刷されるのを防ぐことができ、通信管理を容易にすることができる。
【０００８】
本発明のファクシミリ装置において、前記印刷処理部は、前記通信管理情報記憶部に記憶された前記通信管理情報が所定数以上となると、その時点で未印刷の前記通信管理情報を印刷することができる。
【０００９】
これにより、印刷指示が行われる前に通信管理情報記憶部の容量いっぱいに通信管理情報が記憶されてしまった場合に、未印刷の通信管理情報が印刷されないまま削除されるのを防ぐことができる。
【００１０】
本発明のファクシミリ装置において、前記指示受付部は、前記通信管理情報の印刷指示とともに、当該印刷指示に基づく通信管理情報の印刷履歴を残すか否かに関する情報を取得することができ、前記印刷処理部は、前記指示受付部が取得した前記情報に基づき、当該印刷指示に基づく通信管理情報の印刷履歴を残す場合に、印刷した前記通信管理情報が印刷済みであることを前記印刷履歴記憶部に記憶することができる。
【００１１】
ここで、当該印刷指示に基づく通信管理情報の印刷履歴を残すか否かに関する情報は、たとえば、その印刷指示が通常モードの印刷か、日報モードの印刷か等、モードを指定した情報とすることができる。たとえば、印刷処理部は、印刷指示が日報モードの場合に、印刷した前記通信管理情報が印刷済みであることを前記印刷履歴記憶部に記憶することができる。また、当該印刷指示に基づく通信管理情報の印刷履歴を残すか否かに関する情報は、印刷指示を行ったユーザに関する情報とすることもできる。たとえば、印刷処理部は、設定された管理者からの印刷指示の場合に、印刷した前記通信管理情報が印刷済みであることを前記印刷履歴記憶部に記憶することができる。
【００１２】
本発明のファクシミリ装置において、前記印刷処理部は、印刷した前記通信管理情報を、当該通信管理情報を印刷した時間に対応付けて、前記印刷履歴記憶部に記憶することができる。
【００１３】
このようにすれば、通信管理情報の管理をより容易に行うことができる。
【００１４】
本発明のファクシミリ装置において、前記指示受付部は、前記通信管理情報の印刷指示を、印刷する対象の前記通信管理情報の前記通信日時の指定とともに受け付けることができ、前記印刷処理部は、前記指示受付部が前記印刷指示を受け付けると、前記通信管理情報記憶部を参照して、前記指示受付部が受け付けた対象であって、未印刷の前記通信管理情報を印刷することができる。
【００１５】
これにより、未印刷の通信管理情報のうち、所望の日時に送受信されたファクシミリデータの通信管理情報のみを選択的に印刷することができ、通信管理の利便性を高めることができる。
【００１６】
本発明によれば、ファクシミリデータの通信日時を含む通信管理情報を記憶する通信管理情報記憶部と、前記通信管理情報の印刷指示を、印刷する対象の前記通信管理情報の前記通信日時の指定とともに受け付ける指示受付部と、前記指示受付部が前記印刷指示を受け付けると、前記通信管理情報記憶部を参照して、前記指示受付部が受け付けた前記通信日時の前記通信管理情報を印刷する印刷処理部と、を含むことを特徴とするファクシミリ装置が提供される。
【００１７】
なお、以上の構成要素の任意の組合せ、本発明の表現を方法、装置、システム、記録媒体、コンピュータプログラムなどの間で変換したものもまた、本発明の態様として有効である。
【発明の効果】
【００１８】
本発明によれば、ファクシミリデータの通信管理を容易にすることができる。
【発明を実施するための最良の形態】
【００１９】
以下の実施の形態において、同様の構成要素には同様の符号を付し、適宜説明を省略する。
【００２０】
（第一の実施の形態）
図１は、本実施の形態におけるファクシミリ装置１００の構成を示すブロック図である。
ファクシミリ装置１００は、指示受付部１０２、印刷処理部１０４、印刷履歴記憶部１０６、通信制御部１０８、制御部１１０、データ書込部１１２、データ記憶部１１４、および通信管理情報記憶部１１６を含む。
【００２１】
ファクシミリ装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。実施の形態で説明する各図は、ハードウエア単位の構成ではなく、機能単位のブロックを示している。なお、図１において、本発明の本質に関わらない、たとえば原稿読取部等の構成については省略してある。
【００２２】
ファクシミリ装置１００は、ファクシミリ、プリンタ、コピー、スキャナ機能等を統合したネットワーク複合機とすることができる。ここで、ネットワーク複合機は、たとえばネットワークファクシミリ装置やＭＦＰ（Multi Functional Peripheral）等である。
【００２３】
通信制御部１０８は、ネットワーク１５０を介して他の端末からファクシミリデータを受信したり、他の端末にファクシミリデータを送信する。本実施の形態において、ネットワーク１５０は、たとえばＰＳＴＮ（公衆交換電話網）である。ファクシミリ装置１００は、ネットワーク１５０を介して、Ｇ３ファクシミリ装置等と通信する。また、他の例において、ネットワーク１５０は、インターネット等とすることもでき、ファクシミリ装置１００は、インターネット等を介して他のネットワークファクシミリ装置やＥメール端末とデータの送受信を行うこともできる。
【００２４】
データ書込部１１２は、通信制御部１０８が受信したファクシミリデータや原稿読取部（不図示）が読み取ったデータをデータ記憶部１１４に記憶する。また、データ書込部１１２は、通信制御部１０８が送受信したファクシミリデータの通信管理情報を通信管理情報記憶部１１６に記憶する。ここで、通信管理情報は、たとえば、送信か受信かの通信種類、通信相手に関する情報、通信日時、通信結果等を含む。本実施の形態において、通信管理情報記憶部１１６は、所定数の通信管理情報を記憶する。通信管理情報が所定数をこえると、データ書込部１１２は、通信管理情報を古い順に消去し、新たな通信管理情報を上書きする。
【００２５】
指示受付部１０２は、ユーザからの各種指示を受け付ける。指示受付部１０２は、ユーザから、通信管理情報記憶部１１６に記憶された通信管理情報の印刷指示を受け付ける。
【００２６】
印刷処理部１０４は、指示受付部１０２が、通信管理情報の印刷指示を受け付けると、通信管理情報記憶部１１６から該当する通信管理情報を読み出し、印刷する。
【００２７】
また、データ書込部１１２は、印刷処理部１０４が印刷した通信管理情報の印刷履歴を印刷履歴記憶部１０６に記憶する。本実施の形態において、通信管理情報記憶部１１６と印刷履歴記憶部１０６とは、物理的に一つの記憶部１０５により構成される。
【００２８】
制御部１１０は、ファクシミリ装置１００の各構成要素を制御する。また、制御部１１０は、通信管理情報記憶部１１６に、未印刷の通信管理情報が所定数以上記憶された状態となると、印刷処理部１０４に通知を行う。印刷処理部１０４は、制御部１１０からの通知に基づき、通信管理情報記憶部１１６から未印刷の通信管理情報を読み出し、印刷する。ここで、たとえば通信管理情報記憶部１１６が１００個の通信管理情報を記憶可能な場合に、制御部１１０は、未印刷の通信管理情報が１００個になった時点で印刷処理部１０４に通知を行ってもよいが、たとえば７０個等、所定の割合となった時点で印刷処理部１０４に通知をおこなってもよい。この数は、予め設定しておくことができる。
【００２９】
図２は、通信管理情報記憶部１１６と印刷履歴記憶部１０６により構成される記憶部１０５の内部構成を示す図である。
記憶部１０５は、ＮＯ．欄、送受信欄、相手先欄、通信日時欄、および結果欄を含む。また、本実施の形態において、記憶部１０５には、書込済ポインタおよび印刷済ポインタが通信管理情報に対応づけて記憶される。たとえば、図２（ａ）に示した例では、ＮＯ．３０の通信管理情報に印刷済ポインタが対応づけられている。これは、ＮＯ．３０までの通信管理情報が既に印刷されているということを示す。また、ＮＯ．７２までの通信管理情報が書込済ポインタに対応づけられている。これは、ＮＯ．７２まで、通信管理情報が記憶されているということを示す。
【００３０】
この後、たとえばＮＯ．３１からＮＯ．７２までの通信管理情報が印刷されると、データ書込部１１２は、印刷済ポインタをＮＯ．７２の通信管理情報に対応づけて記憶する。図２（ｂ）は、この状態を示す図である。
【００３１】
図３は、本実施の形態におけるファクシミリ装置１００の処理手順を示すフローチャートである。
指示受付部１０２が通信管理情報の印刷処理を受け付けると（Ｓ１００のＹＥＳ）、印刷処理部１０４は、未印刷の通信管理情報のみを印刷するのか、通信管理情報記憶部１１６に記憶されているすべての通信管理情報を印刷するのかを判断する（Ｓ１０２）。ユーザは、指示受付部１０２から、未印刷の通信管理情報のみを印刷するのか、すべての通信管理情報を印刷するのかも指定することができる。印刷処理部１０４は、ユーザの指定に基づき、ステップＳ１０２の判断を行う。
【００３２】
未印刷の通信管理情報のみを印刷する場合（Ｓ１０２のＹＥＳ）、印刷処理部１０４は、通信管理情報記憶部１１６から未印刷の通信管理情報を読み出し、印刷する（Ｓ１０４）。つづいて、データ書込部１１２は、印刷履歴記憶部１０６に印刷履歴を記録する（Ｓ１０６）。具体的には、データ書込部１１２は、記憶部１０５の印刷済ポインタを、その時点で印刷した最後の通信管理情報に対応づけて記録する。これにより、処理を終了する。
【００３３】
一方、ステップＳ１０２で、すべての通信印刷情報を印刷すると判断した場合（Ｓ１０２のＮＯ）、印刷処理部１０４は、通信管理情報記憶部１１６からすべての通信管理情報を読み出し、印刷する（Ｓ１０８）。この場合は、印刷履歴を記録することなく、処理を終了する。
【００３４】
また、ステップＳ１００において、通信管理情報の印刷指示がない場合（Ｓ１００のＮＯ）、制御部１１０は、通信管理情報記憶部１１６に記憶された未印刷の通信管理情報が所定数となったか否かを判断する（Ｓ１１０）。制御部１１０は、記憶部１０５の書込済ポインタと印刷済ポインタとの差分により、未印刷の通信管理情報の数を把握することができる。未印刷の通信管理情報が所定数となると（Ｓ１１０のＹＥＳ）、制御部１１０は、印刷処理部１０４にその旨を通知する。印刷処理部１０４は、制御部１１０からの通知に基づき、未印刷の通信管理情報を印刷する（Ｓ１０４）。また、データ書込部１１２は、印刷履歴記憶部１０６に印刷履歴を記録する（Ｓ１０６）。
【００３５】
なお、未印刷の通信管理情報が所定数に達したことにより通信管理情報の印刷が行われた場合、データ書込部１１２は、そのような印刷処理を行ったことを印刷履歴記憶部１０６に記憶することができる。印刷処理部１０４は、この次にユーザの指示による未印刷の通信管理情報の印刷が行われた際に、通信管理情報とともに、未印刷の通信管理情報が所定数に達したことにより通信管理情報の印刷が行われたことを示す情報を印刷することができる。たとえば、通信管理情報とともに、「２月９日１５：０５：未印刷の通信管理情報が所定数に達したため、印刷を行いました。」等のメッセージを印刷することができる。また、このような印刷処理を行った場合、その時点で、音声等による通知を行うようにすることもできる。これにより、日報の管理者がその前に日報として通信管理情報が自動的に印刷されたことを把握することができ、日報として保存する通信管理情報に抜けが生じるのを防ぐことができる。
【００３６】
本実施の形態におけるファクシミリ装置１００によれば、ユーザが任意のタイミングで未印刷の通信管理情報のみを印刷することができるので、たとえば１日分の通信管理情報を日報として保存する場合の管理を容易にすることができる。また、ユーザが、未印刷の通信管理情報のみの印刷、またはすべての通信管理情報の印刷のいずれかを任意に選択することができるので、ユーザの使い勝手が向上する。
【００３７】
（第二の実施の形態）
本実施の形態においても、ファクシミリ装置１００は、第一の実施の形態において図１を参照して説明したファクシミリ装置１００と同様の構成要素を有する。
【００３８】
本実施の形態において、指示受付部１０２は、ユーザから通信管理情報の印刷指示を受け付ける際に、その印刷が通常モードの印刷か、日報モードの印刷かの指定も受け付ける。ファクシミリ装置１００は、通常モードまたは日報モードを指定するための操作部（不図示）を有する。
【００３９】
たとえば会社や事務所等において、複数人でファクシミリ装置１００を共有する場合、様々な人が様々な用途で通信管理情報を印刷することがある。たとえば、管理者や当番の人が毎日規則的に日報として１日分の通信管理情報を印刷することになっている場合でも、それ以外の人が通信履歴を確認するために通信管理情報を印刷することもある。このような場合に、不規則に行われた印刷履歴が印刷履歴記憶部１０６に残ると、日報として通信管理情報を印刷する処理が適切に行えなくなってしまう。
【００４０】
本実施の形態において、データ書込部１１２は、通信管理情報の印刷指示時に日報モードの指定があった場合のみ、印刷履歴を印刷履歴記憶部１０６に記憶する。
【００４１】
図４は、本実施の形態におけるファクシミリ装置１００の処理手順を示すフローチャートである。
指示受付部１０２が通信管理情報の印刷処理を受け付けると（Ｓ１２０のＹＥＳ）、印刷処理部１０４は、未印刷の通信管理情報のみを印刷するのか、通信管理情報記憶部１１６に記憶されているすべての通信管理情報を印刷するのかを判断する（Ｓ１２２）。たとえば、指示受付部１０２がユーザから日報モードの印刷指示を受け付けた場合、印刷処理部１０４は、未印刷の通信管理情報を印刷すると判断する。また、ユーザが通常モードの印刷を指定した場合、指示受付部１０２は、ユーザに、未印刷の通信管理情報のみを印刷するのか、すべての通信管理情報を印刷するのかを指定させる。この場合、印刷処理部１０４は、ユーザの指定に基づき、ステップＳ１２２の判断を行う。
【００４２】
未印刷の通信管理情報のみを印刷する場合（Ｓ１２２のＹＥＳ）、印刷処理部１０４は、通信管理情報記憶部１１６から未印刷の通信管理情報を読み出し、印刷する（Ｓ１２４）。つづいて、印刷処理部１０４は、ユーザの指定が日報モードの場合（Ｓ１２６のＹＥＳ）、データ書込部１１２にその旨を通知する。データ書込部１１２は、印刷処理部１０４の通知に基づき、印刷履歴記憶部１０６に印刷履歴を記録する（Ｓ１２８）。これにより、処理を終了する。ユーザの指示が通常モードの場合（Ｓ１２６のＮＯ）、印刷履歴を記録することなく、処理を終了する。
【００４３】
一方、ステップＳ１２２で、すべての通信印刷情報を印刷すると判断した場合（Ｓ１２２のＮＯ）、印刷処理部１０４は、通信管理情報記憶部１１６からすべての通信管理情報を読み出し、印刷する（Ｓ１３０）。この場合は、印刷履歴を記録することなく、処理を終了する。
【００４４】
また、ステップＳ１２０において、通信管理情報の印刷指示がない場合（Ｓ１２０のＮＯ）、制御部１１０は、通信管理情報記憶部１１６に記憶された未印刷の通信管理情報が所定数となったか否かを判断する（Ｓ１３２）。未印刷の通信管理情報が所定数となると（Ｓ１３２のＹＥＳ）、制御部１１０は、印刷処理部１０４にその旨を通知する。印刷処理部１０４は、制御部１１０からの通知に基づき、未印刷の通信管理情報を印刷する（Ｓ１３４）。この後ステップＳ１２８に進み、データ書込部１１２は、印刷履歴記憶部１０６に印刷履歴を記録する。
【００４５】
本実施の形態におけるファクシミリ装置１００によれば、通信管理情報を規則的に日報として印刷する場合には、印刷履歴を記録することにより、日報として印刷する通信管理情報が重複することを防ぐことができる。また、通信管理情報を日報として印刷する以外の目的で不規則に印刷が行われた場合には、印刷履歴を記録しないので、日報として印刷する通信管理情報に抜けが生じることを防ぐことができる。
【００４６】
（第三の実施の形態）
図５は、本実施の形態におけるファクシミリ装置１００の構成を示すブロック図である。
ファクシミリ装置１００は、第一の実施の形態において図１を参照して説明したファクシミリ装置１００の構成に加えて、ユーザ認証部１１８およびユーザ情報記憶部１２０をさらに含む。
【００４７】
ユーザ認証部１１８は、指示受付部１０２に通信管理情報の印刷指示を行ったユーザを認証する。ユーザ情報記憶部１２０は、ユーザ認証部１１８がユーザを認証するためのユーザに関する情報を記憶する。ユーザ情報記憶部１２０は、たとえばＩＤやパスワードを記憶することができる。また、ファクシミリ装置１００は、ＩＣタグリーダ等を有することもでき、ユーザ認証部１１８は、ユーザにユーザ情報が記憶されたＩＣタグを提示させてユーザを認証することもできる。
【００４８】
本実施の形態において、データ書込部１１２は、たとえば指示受付部１０２に通信管理情報の印刷指示を行ったユーザが日報印刷の管理者であると認証された場合にのみ、印刷履歴を印刷履歴記憶部１０６に記録するようにすることができる。このようにすれば、日報として印刷する通信管理情報が重複することを防ぐことができるとともに、他の人により通信管理情報の印刷が行われた場合でも、その印刷履歴は記録されないので、日報として印刷する通信管理情報に抜けが生じることを防ぐことができる。
【００４９】
また、データ書込部１１２は、ユーザやユーザグループ単位毎に、通信管理情報の印刷履歴を印刷履歴記憶部１０６に記憶することもできる。このようにすれば、各人が通信管理情報を印刷して確認する場合に、以前に打ち出した通信管理情報を再印刷することを防ぐことができ、無駄な印刷を減らすことができる。
【００５０】
なお、本実施の形態においても、ユーザの指定により、未印刷の通信管理情報のみを印刷するか、すべての通信管理情報を印刷するかを選択することができる。
【００５１】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００５２】
以上の実施の形態において、通常モードで印刷された通信管理情報については、データ書込部１１２が印刷履歴記憶部１０６に印刷履歴を記録しない形態を説明した。しかし、通信管理情報が通常モードで印刷された場合でも、日報モードとして印刷されたものと区別して、印刷履歴を残すようにしてもよい。
【００５３】
以上の実施の形態においては、たとえば、第二の実施の形態において、日報モードでの印刷指示があった場合、印刷処理部１０４が、印刷履歴記憶部１０６の印刷履歴を参照して印刷処理を行う形態を説明した。しかし、他の例において、印刷処理部１０４は、たとえば日報モードでの印刷指示があった場合に、通信管理情報の通信日時に基づき、通信日時が所定の期間内である通信管理情報を印刷するようにすることもできる。たとえば、通信管理情報の日報を管理する管理者が毎朝日報モードで通信管理情報の印刷指示を行うと、ファクシミリ装置１００がその前日に通信した通信管理情報を印刷するようにすることができる。また、この例においても、印刷履歴を残すようにしておき、選択により、未印刷の通信管理情報のみを印刷するようにすることができる。
【００５４】
また、第二の実施の形態において、たとえば日報モードでの印刷指示があった場合に、通信管理情報の通信日時に基づき、通信日時が所定の期間内である通信管理情報であって、未印刷のものだけを印刷するようにすることもできる。
【図面の簡単な説明】
【００５５】
【図１】実施の形態におけるファクシミリ装置の構成を示すブロック図である。
【図２】記憶部の内部構成を示す図である。
【図３】実施の形態におけるファクシミリ装置の処理手順の一例を示すフローチャートである。
【図４】実施の形態におけるファクシミリ装置の処理手順の一例を示すフローチャートである。
【図５】実施の形態におけるファクシミリ装置の構成を示すブロック図である。
【符号の説明】
【００５６】
１００  ファクシミリ装置
１０２  指示受付部
１０４  印刷処理部
１０５  記憶部
１０６  印刷履歴記憶部
１０８  通信制御部
１１０  制御部
１１２  データ書込部
１１４  データ記憶部
１１６  通信管理情報記憶部
１１８  ユーザ認証部
１５０  ネットワーク
【図１】
2006173798.tif 000003
【図２】
2006173798.tif 000004
【図３】
2006173798.tif 000005
【図４】
2006173798.tif 000006
【図５】
2006173798.tif 000007